(57)【要約】【課題】基板を何らかの原因で再利用しても、必要なデータを確保することができるデータ転送システム及びデータ転送方法を提供する。【解決手段】データ転送システムＳは、給湯機１００の本体基板１０とリモコン２００のリモコン基板２０との間で互いに通信が可能に構成される。不揮発性メモリ１２、２２の各々のデータ状態は、データ無、未確定状態、確定状態の三種類の状態を有する。本体基板１０が交換されたことに応じて、交換後の本体基板１０の制御部１１は、不揮発性メモリ２２のデータ状態が不揮発性メモリ１２のデータ状態よりも優先度が高い場合には、不揮発性メモリ２２に記憶されているデータを取り込んで不揮発性メモリ１２に記憶させる取込処理を行う一方で、不揮発性メモリ１２のデータ状態が不揮発性メモリ２２のデータ状態よりも優先度が高い場合には、取込処理を行わない。【選択図】図１
2019216334.tif 000002
【特許請求の範囲】
【請求項１】
互いに通信が可能な第１基板及び第２基板を備え、前記第１基板と前記第２基板との間でデータ転送を行うデータ転送システムであって、
前記第１基板と前記第２基板の一方は家電機器に設けられ、他方は前記家電機器の遠隔操作を可能とするリモートコントローラに設けられ、
前記第１基板は、第１制御部と、前記第１制御部の制御によりデータを記憶する第１不揮発性メモリとを有し、
前記第２基板は、第２制御部と、前記第２制御部の制御によりデータを記憶する第２不揮発性メモリとを有し、
前記第１制御部は、前記第１不揮発性メモリ及び前記第２不揮発性メモリの各々のデータ状態を特定可能であり、
前記データ状態は、互いに異なる優先度の複数の状態を有し、
前記複数の状態は、記憶されているデータがある未確定状態と、記憶されているデータがあるとともに前記未確定状態よりも優先度が高い確定状態とを含み、
前記第１基板が交換されたことに応じて、当該交換後の前記第１基板の前記第１制御部は、前記第１不揮発性メモリと前記第２不揮発性メモリとの前記データ状態の優先度を比較し、
前記第２不揮発性メモリの前記データ状態が前記第１不揮発性メモリの前記データ状態よりも優先度が高い場合には、前記第２不揮発性メモリに記憶されているデータを取り込んで前記第１不揮発性メモリに記憶させる取込処理を行う一方で、
前記第１不揮発性メモリの前記データ状態が前記第２不揮発性メモリの前記データ状態よりも優先度が高い場合には、前記取込処理を行わない、
データ転送システム。
【請求項２】
前記第１不揮発性メモリ及び前記第２不揮発性メモリの各々にデータが記憶されており、且つ、前記第１不揮発性メモリと前記第２不揮発性メモリとの前記データ状態の優先度が同じ場合、前記第１制御部は、前記第１基板の通電積算時間と前記第２基板の通電積算時間とを比較し、
前記第２基板の通電積算時間が前記第１基板の通電積算時間よりも長い場合に、前記取込処理を行う一方で、前記第１基板の通電積算時間が前記第２基板の通電積算時間以下の場合には、前記取込処理を行わない、
請求項１に記載のデータ転送システム。
【請求項３】
前記第１不揮発性メモリと前記第２不揮発性メモリとの前記データ状態がともに前記未確定状態である場合、前記第１制御部は、前記第１基板の通電積算時間として前記第１不揮発性メモリが前記未確定状態となってからの通電積算時間と、前記第２基板の通電積算時間として前記第２不揮発性メモリが前記未確定状態となってからの通電積算時間とを比較する、
請求項２に記載のデータ転送システム。
【請求項４】
前記第１不揮発性メモリと前記第２不揮発性メモリとの前記データ状態がともに前記確定状態である場合、前記第１制御部は、前記第１基板の初回通電時からの通電積算時間と、前記第２基板の初回通電時からの通電積算時間とを比較する、
請求項２又は３に記載のデータ転送システム。
【請求項５】
前記複数の状態は、前記未確定状態よりも優先度が低く、記憶されているデータが無いデータ無の状態を含み、
前記第１制御部は、前記第１不揮発性メモリの前記データ状態が前記データ無の状態である場合に前記取込処理を行うと、前記第１不揮発性メモリの前記データ状態を前記データ無の状態から前記未確定状態とする、
請求項１乃至４のいずれか１項に記載のデータ転送システム。
【請求項６】
前記第１制御部は、前記第１不揮発性メモリの前記データ状態が前記未確定状態となってから予め定めた所定期間が経過した際に、前記第１不揮発性メモリの前記データ状態を前記未確定状態から前記確定状態とする、
請求項１乃至５のいずれか１項に記載のデータ転送システム。
【請求項７】
前記家電機器は、給湯機である、
請求項１乃至６のいずれか１項に記載のデータ転送システム。
【請求項８】
互いに通信が可能であるとともに記憶領域を有する第１基板と第２基板との間でデータ転送を行うデータ転送方法であって、
前記第１基板と前記第２基板の一方は家電機器に設けられ、他方は前記家電機器の遠隔操作を可能とするリモートコントローラに設けられ、
前記第１基板及び前記第２基板の各々の記憶領域のデータ状態として、互いに異なる優先度の複数の状態を用意し、
前記複数の状態は、記憶されているデータがある未確定状態と、記憶されているデータがあるとともに前記未確定状態よりも優先度が高い確定状態とを含み、
前記第１基板が交換されたことに応じて、当該交換後の前記第１基板と、前記第２基板との前記データ状態の優先度を比較し、
前記第２基板の前記データ状態が前記第１基板の前記データ状態よりも優先度が高い場合には、前記第２基板に記憶されているデータを前記第１基板に取り込んで記憶させる一方で、
前記第１基板の前記データ状態が前記第２基板の前記データ状態よりも優先度が高い場合には、前記第２基板に記憶されているデータを前記第１基板に取り込まない、
データ転送方法。
【発明の詳細な説明】
【技術分野】
【０００１】
本発明は、データ転送システム及びデータ転送方法に関する。
【背景技術】
【０００２】
従来のデータ転送システムとして、例えば特許文献１には、給湯機とリモートコントローラ（リモコン）との間でデータ転送を行うものが開示されている。このデータ転送システムでは、リモコン側の記憶手段に給湯機の制御基板（以下、本体基板と言う。）が保有するデータを記憶させ、本体基板が交換された際に、リモコン側の記憶手段に記憶されたデータを交換後の新たな本体基板に転送する。
【先行技術文献】
【特許文献】
【０００３】
【特許文献１】特開２００１−３３０９１号公報
【発明の概要】
【発明が解決しようとする課題】
【０００４】
特許文献１に開示されたデータ転送システムでは以下のような問題が生じ得る。
図１０（ａ）に示すように、本体基板の故障が疑われ、家庭Ａにてサービスパーツとしての新たな本体基板９ｎを給湯機に接続すると、家庭Ａの使用状況に係るデータＤａがリモコンから新たな本体基板９ｎに転送される。この際、実は本体基板が故障しておらず、本体基板の交換が不要となった場合、サービスパーツとしての新たな本体基板９ｎはサービスマンに回収される。
【０００５】
続いて、図１０（ｂ）に示すように、家庭Ａから回収された新たな本体基板９ｎを誤って家庭Ｂの給湯機に接続した場合を考える。このときの本体基板９ｎにはデータＤａが入力済みであるため、家庭Ａでの場合とは異なり、家庭Ｂの使用状況に係るデータＤｂがリモコンから本体基板９ｎに転送されない。その後、本体基板９ｎからリモコン側の基板への定期的なデータ更新が行われると、家庭Ｂの使用状況に係るデータＤｂがデータＤａで上書きされてしまう。このように、基板を何らかの原因で再利用すると、必要なデータが確保することができない虞がある。
【０００６】
本発明は、上記実状を鑑みてなされたものであり、基板を何らかの原因で再利用しても、必要なデータを確保することができるデータ転送システム及びデータ転送方法を提供することを目的とする。
【課題を解決するための手段】
【０００７】
（１）上記目的を達成するため、本発明の第１の観点に係るデータ転送システムは、
互いに通信が可能な第１基板及び第２基板を備え、前記第１基板と前記第２基板との間でデータ転送を行うデータ転送システムであって、
前記第１基板と前記第２基板の一方は家電機器に設けられ、他方は前記家電機器の遠隔操作を可能とするリモートコントローラに設けられ、
前記第１基板は、第１制御部と、前記第１制御部の制御によりデータを記憶する第１不揮発性メモリとを有し、
前記第２基板は、第２制御部と、前記第２制御部の制御によりデータを記憶する第２不揮発性メモリとを有し、
前記第１制御部は、前記第１不揮発性メモリ及び前記第２不揮発性メモリの各々のデータ状態を特定可能であり、
前記データ状態は、互いに異なる優先度の複数の状態を有し、
前記複数の状態は、記憶されているデータがある未確定状態と、記憶されているデータがあるとともに前記未確定状態よりも優先度が高い確定状態とを含み、
前記第１基板が交換されたことに応じて、当該交換後の前記第１基板の前記第１制御部は、前記第１不揮発性メモリと前記第２不揮発性メモリとの前記データ状態の優先度を比較し、
前記第２不揮発性メモリの前記データ状態が前記第１不揮発性メモリの前記データ状態よりも優先度が高い場合には、前記第２不揮発性メモリに記憶されているデータを取り込んで前記第１不揮発性メモリに記憶させる取込処理を行う一方で、
前記第１不揮発性メモリの前記データ状態が前記第２不揮発性メモリの前記データ状態よりも優先度が高い場合には、前記取込処理を行わない。
【０００８】
（２）上記（１）に記載のデータ転送システムにおいて、
前記第１不揮発性メモリ及び前記第２不揮発性メモリの各々にデータが記憶されており、且つ、前記第１不揮発性メモリと前記第２不揮発性メモリとの前記データ状態の優先度が同じ場合、前記第１制御部は、前記第１基板の通電積算時間と前記第２基板の通電積算時間とを比較し、
前記第２基板の通電積算時間が前記第１基板の通電積算時間よりも長い場合に、前記取込処理を行う一方で、前記第１基板の通電積算時間が前記第２基板の通電積算時間以下の場合には、前記取込処理を行わない、ようにしてもよい。
【０００９】
（３）上記（２）に記載のデータ転送システムにおいて、
前記第１不揮発性メモリと前記第２不揮発性メモリとの前記データ状態がともに前記未確定状態である場合、前記第１制御部は、前記第１基板の通電積算時間として前記第１不揮発性メモリが前記未確定状態となってからの通電積算時間と、前記第２基板の通電積算時間として前記第２不揮発性メモリが前記未確定状態となってからの通電積算時間とを比較する、ようにしてもよい。
【００１０】
（４）上記（２）又は（３）に記載のデータ転送システムにおいて、
前記第１不揮発性メモリと前記第２不揮発性メモリとの前記データ状態がともに前記確定状態である場合、前記第１制御部は、前記第１基板の初回通電時からの通電積算時間と、前記第２基板の初回通電時からの通電積算時間とを比較する、ようにしてもよい。
【００１１】
（５）上記（１）乃至（４）のいずれかに記載のデータ転送システムにおいて、
前記複数の状態は、前記未確定状態よりも優先度が低く、記憶されているデータが無いデータ無の状態を含み、
前記第１制御部は、前記第１不揮発性メモリの前記データ状態が前記データ無の状態である場合に前記取込処理を行うと、前記第１不揮発性メモリの前記データ状態を前記データ無の状態から前記未確定状態とする、ようにしてもよい。
【００１２】
（６）上記（１）乃至（５）のいずれかに記載のデータ転送システムにおいて、
前記第１制御部は、前記第１不揮発性メモリの前記データ状態が前記未確定状態となってから予め定めた所定期間が経過した際に、前記第１不揮発性メモリの前記データ状態を前記未確定状態から前記確定状態とする、ようにしてもよい。
【００１３】
（７）上記（１）乃至（６）のいずれかに記載のデータ転送システムにおいて、
前記家電機器は、給湯機である、ようにしてもよい。
【００１４】
（８）上記目的を達成するため、本発明の第２の観点に係るデータ転送方法は、
互いに通信が可能であるとともに記憶領域を有する第１基板と第２基板との間でデータ転送を行うデータ転送方法であって、
前記第１基板と前記第２基板の一方は家電機器に設けられ、他方は前記家電機器の遠隔操作を可能とするリモートコントローラに設けられ、
前記第１基板及び前記第２基板の各々の記憶領域のデータ状態として、互いに異なる優先度の複数の状態を用意し、
前記複数の状態は、記憶されているデータがある未確定状態と、記憶されているデータがあるとともに前記未確定状態よりも優先度が高い確定状態とを含み、
前記第１基板が交換されたことに応じて、当該交換後の前記第１基板と、前記第２基板との前記データ状態の優先度を比較し、
前記第２基板の前記データ状態が前記第１基板の前記データ状態よりも優先度が高い場合には、前記第２基板に記憶されているデータを前記第１基板に取り込んで記憶させる一方で、
前記第１基板の前記データ状態が前記第２基板の前記データ状態よりも優先度が高い場合には、前記第２基板に記憶されているデータを前記第１基板に取り込まない。
【発明の効果】
【００１５】
本発明によれば、基板を何らかの原因で再利用しても、必要なデータを確保することができる。
【図面の簡単な説明】
【００１６】
【図１】本発明の一実施形態に係るデータ転送システムの構成を示すブロック図である。
【図２】本体データ及びリモコンデータの各々の状態の優先度と、転送元との関係を示す図である。
【図３】出荷時における給湯機及びリモコンのデータ状態を示す図である。
【図４】（ａ）〜（ｃ）は、主に出荷後のデータ遷移を説明するための図である。
【図５】給湯機の制御部が実行するデータ取込処理の一例を示すフローチャートである。
【図６】リモコンの制御部が実行するデータ取込処理の一例を示すフローチャートである。
【図７】給湯機及びリモコンの各制御部が実行するデータ確定処理の一例を示すフローチャートである。
【図８】（ａ）〜（ｃ）は、データ遷移の一例を説明するための図である。
【図９】（ａ）及び（ｂ）は、データ遷移の一例を説明するための図である。
【図１０】（ａ）及び（ｂ）は、従来技術で生じる虞のある問題を説明するための図である。
【発明を実施するための形態】
【００１７】
本発明の一実施形態に係るデータ転送システム及びデータ転送方法について図面を参照して説明する。
【００１８】
データ転送システムＳは、図１に示すように、給湯機１００と、リモートコントローラ（リモコン）２００と、両者を接続するケーブルＣとを備え、給湯機１００とリモコン２００との間でケーブルＣを介してデータの転送が可能に構成されている。
【００１９】
（給湯機１００）
給湯機１００は、例えば家庭用の石油給湯機であり、本体基板１０と、電源基板１４とを備える。なお、図１において、燃焼部や熱交換器などデータ転送と直接関係のない構成は省略している。また以下では、給湯機１００をリモコン２００との対比において「本体１００」と呼ぶこともある。
【００２０】
電源基板１４は、商用電源から給湯機１００の各部へ駆動電力を供給する。本体基板１０の駆動電力も電源基板１４から供給される。
【００２１】
本体基板１０は、給湯機１００の各部の動作を制御する基板であり、制御部１１と、通信部１３とを備える。本体基板１０は、給湯機１００に対して着脱可能に構成されている。
【００２２】
制御部１１は、給湯機１００の各部の動作を制御するマイクロコンピュータ（マイコン）からなり、ＣＰＵ（Central Processing Unit）と、ＲＯＭ（Read Only Memory）と、ＲＡＭ（Random Access Memory）とを備える。ＲＯＭは、動作プログラムや各種の固定データを予め記憶する。ＲＡＭは、各種の演算結果などを一時的に記憶する。ＣＰＵは、ＲＯＭに記憶された動作プログラムを実行する。特に、ＲＯＭには、後述するデータ取込処理を実行するための動作プログラムが格納されている。また、本体基板１０は、「年／月／日／曜日」や「時／分／秒」の情報を含む時刻情報を出力するリアルタイムクロックや、適宜計時を行うタイマを図示しない構成として備えている。当該構成からの情報に基づいて、制御部１１は、後述のタイムスタンプデータの生成や、通電積算時間のカウントが可能となっている。
【００２３】
また、制御部１１は、ＣＰＵの制御によってデータの再書き込みや消去が可能な不揮発性メモリ１２を備える。不揮発性メモリ１２は、例えば、フラッシュメモリやＥＥＰＲＯＭ（Electrically Erasable Programmable Read Only Memory）から構成される。なお、不揮発性メモリ１２は、制御部１１に内蔵されたものに限られず、本体基板１０に実装されていれば、制御部１１の外部メモリであってもよい。
【００２４】
ＣＰＵの制御によって不揮発性メモリ１２に記憶されるデータである本体データＤ１は、主データと、状態判別用データとを有する。
主データは、タイムスタンプデータと、調整データとを含む。タイムスタンプデータは、通電日数や累積燃焼時間を示すものであり、点検時期（例えば、使用から１０年経過後）を告知するために用いられる。調整データは、給湯機１００の機器毎に調整が必要なデータであり、例えば、油量を調整するためのデータ（Ｌｏ／Ｈｉを示すデータ）などである。当該主データは、後述のデータ取込処理における所定条件下で、リモコンデータＤ２の主データと同じものに更新される。
状態判別用データは、本体データＤ１のデータ状態や、データ転送からの通電積算時間を示すデータである。
【００２５】
通信部１３は、リモコン２００とデータ通信を行うための通信回路であり、例えば、電源に信号を重畳して伝送する重畳伝送回路からなる。通信部１３は、二芯の通信ケーブルからなるケーブルＣでリモコン２００の通信部２３と接続される。これにより、リモコン２００は、データの転送に加え、給湯機１００から電源供給を受けることができる。
【００２６】
（リモコン２００）
リモコン２００は、給湯機１００を遠隔操作するためのものであり、リモコン基板２０を備える。なお、図１において、操作部や表示部などデータ転送と直接関係のない構成は省略している。
【００２７】
リモコン基板２０は、リモコン２００の各部の動作を制御する基板であり、制御部２１と、通信部２３とを備える。リモコン基板２０は、リモコン２００に対して着脱可能に構成されている。
【００２８】
制御部２１は、リモコン２００の各部の動作を制御するマイコンからなり、ＣＰＵと、ＲＯＭと、ＲＡＭとを備える。特に、ＲＯＭには、後述するデータ取込処理を実行するための動作プログラムが格納されている。また、リモコン基板２０は、本体基板１０と同様にリアルタイムクロックやタイマを備えている。当該構成からの情報に基づいて、制御部２１は、後述のタイムスタンプデータの生成や、通電積算時間のカウントが可能となっている。
【００２９】
また、制御部２１は、ＣＰＵの制御によりデータの再書き込みや消去が可能な不揮発性メモリ２２を備える。不揮発性メモリ２２は、例えば、フラッシュメモリやＥＥＰＲＯＭから構成される。なお、不揮発性メモリ２２は、制御部２１に内蔵されたものに限られず、リモコン基板２０に実装されていれば、制御部２１の外部メモリであってもよい。
【００３０】
不揮発性メモリ２２に記憶されるデータであるリモコンデータＤ２は、本体データＤ１と同様に、主データと、状態判別用データとを有する。
リモコンデータＤ２の主データは、後述するデータ取込処理に従って、所定の契機で取り込んだ本体データＤ１の主データと同じ構成のものである。当該主データは、定期的に本体データＤ１の主データと同じものに更新されるとともに、後述のデータ取込処理における所定条件下で、本体データＤ１の主データと同じものに更新される。
状態判別用データは、リモコンデータＤ２のデータ状態や、データ転送からの通電積算時間を示すデータである。
【００３１】
通信部２３は、給湯機１００とデータ通信を行うための通信回路であり、例えば前記同様に、電源に信号を重畳して伝送する重畳伝送回路からなる。データ転送システムＳの構成は以上である。
【００３２】
続いて、図２を参照して、本体データＤ１及びリモコンデータＤ２の各々に用意されたデータ状態について説明する。
本体データＤ１とリモコンデータＤ２の各々には、優先度が低い方から順に、「データ無」、「未確定状態」、「確定状態」の３種類のデータ状態が用意されている。本実施形態では、本体基板１０又はリモコン基板２０の交換時（以下、省略して「基板交換時」とも言う。）に当該優先度に応じてデータの転送元と転送先とを決定することで、従来技術で生じる虞があった必要なデータが上書きされてしまうことを防止する。本体データＤ１のデータ状態は、本体基板１０の不揮発性メモリ１２に状態判別用データとして記憶される。リモコンデータＤ２のデータ状態は、リモコン基板２０の不揮発性メモリ２２に状態判別用データとして記憶される。なお、「データ無」の状態については、状態判別用データとして記憶されなくともよく、制御部１１又は制御部２１が判別対象のデータ（本体データＤ１又はリモコンデータＤ２）の主データが単に存在しない場合に「データ無」と判別するようにしてもよい。
【００３３】
例えば、図２に示すように、基板交換時に、本体データＤ１が「確定状態」であり、リモコンデータＤ２が「未確定状態」である場合は、「本体データＤ１」（具体的には、本体データＤ１の主データ）がリモコン２００側に取り込まれる（制御部２１の制御で取り込まれ、不揮発性メモリ２２に記憶される）。なお、本体データＤ１のデータ状態がリモコンデータＤ２のデータ状態よりも優先度が高いその他の場合も、「本体データＤ１」がリモコン２００側に取り込まれる。
【００３４】
また、図２に示すように、基板交換時に、リモコンデータＤ２が「確定状態」であり、本体データＤ１が「未確定状態」である場合は、「リモコンデータＤ２」（具体的には、リモコンデータＤ２の主データ）が本体１００側に取り込まれる（制御部１１の制御で取り込まれ、不揮発性メモリ１２に記憶される）。なお、リモコンデータＤ２のデータ状態が本体データＤ１のデータ状態よりも優先度が高いその他の場合も、「リモコンデータＤ２」が本体１００側に取り込まれる。
【００３５】
本体データＤ１とリモコンデータＤ２のデータ状態の優先度が同じであった場合には、下記（ア）〜（ウ）のようになる。
（ア）本体データＤ１とリモコンデータＤ２とがともに「データ無」の場合は、転送対象の主データが存在しないため、当然に転送は行われない。
（イ）本体データＤ１とリモコンデータＤ２とがともに「未確定状態」の場合は、データ転送からの通電積算時間が長い方のデータが転送元となる。なお、本体データＤ１におけるデータ転送からの通電積算時間とは、後述のように、本体データＤ１がデータ無から未確定状態になってからの通電積算時間である。また、リモコンデータＤ２におけるデータ転送からの通電積算時間とは、後述のように、リモコンデータＤ２がデータ無から未確定状態になってからの通電積算時間である。
（ウ）本体データＤ１とリモコンデータＤ２とがともに「確定状態」の場合は、タイムスタンプの通電積算時間（つまり、初回通電時からの通電積算時間）が長い方のデータが転送元となる。
なお、以下では、上記（イ）のデータ転送からの通電積算時間を単に「通電積算時間」と呼ぶとともに、これとの区別において、上記（ウ）のタイムスタンプの通電積算時間を「ＴＳ通電積算時間」と呼ぶ。
【００３６】
続いて、製品出荷時からのデータ状態の遷移例を図３、図４を参照して説明する。
【００３７】
図３は出荷時における本体１００及びリモコン２００のデータ状態を示す図である。出荷時は、本体基板１０の本体データＤ１は「確定状態」、リモコン基板２０のリモコンデータＤ２は「データ無」とされる。
なお、図３、図４、及び図８の各図において、本体基板１０内の本体データＤ１は、実際は不揮発性メモリ１２に記憶されているものを模式的に示したものである。同様に、リモコン基板２０内のリモコンデータＤ２は、実際は不揮発性メモリ２２に記憶されているものを模式的に示したものである。
【００３８】
図４（ａ）〜（ｃ）は、主に出荷後のデータ遷移を説明するための図である。なお、図４（ａ）〜（ｃ）は、サービスパーツとしての新基板（新たな本体基板１０ｎ又はリモコン基板２０ｎ）が交換されない場合のデータ遷移を示している。
【００３９】
図４（ａ）に示すように、出荷後に、本体１００とリモコン２００とがケーブルＣで接続されて家庭に設置されると、データ状態の優先度は、（本体データＤ１：確定状態）＞（リモコンデータＤ２：データ無）であるため、本体データＤ１の主データがリモコン基板２０へ転送される。具体的には、リモコン基板２０の制御部２１が本体データＤ１の主データを取り込む。
【００４０】
転送された本体データＤ１の主データは、図４（ｂ）に示すように、リモコン基板２０に記憶されて、リモコンデータＤ２になるとともに、当該リモコンデータＤ２のデータ状態は、「未確定状態」に設定される。このように、リモコンデータＤ２のデータ状態は、「データ無」の状態から、本体データＤ１の主データを受け取った際に「未確定状態」に設定される。この際、具体的には、リモコン基板２０の制御部２１は、不揮発性メモリ２２の状態判別用データが示すデータ状態を「未確定状態」に設定するとともに、通電積算時間の計時を開始する。
なお、後述するように、本体データＤ１のデータ状態も、「データ無」の状態から、リモコンデータＤ２の主データを受け取った際に「未確定状態」に設定される。この際、具体的には、本体基板１０の制御部１１は、不揮発性メモリ１２の状態判別用データが示すデータ状態を「未確定状態」に設定するとともに、通電積算時間の計時を開始する。
【００４１】
図４（ｂ）に示すように、リモコンデータＤ２のデータ状態が「未確定状態」となってから１年経過後に、リモコンデータＤ２のデータ状態が「確定状態」に設定される。この際、具体的には、リモコン基板２０の制御部２１は、不揮発性メモリ２２の状態判別用データが示すデータ状態を「確定状態」に設定する。
なお、後述するように、本体データＤ１のデータ状態が「未確定状態」となってから１年経過後も、本体データＤ１のデータ状態が「確定状態」に設定される。この際、具体的には、本体基板１０の制御部１１は、不揮発性メモリ１２の状態判別用データが示すデータ状態を「確定状態」に設定する。
【００４２】
なお、サービスパーツとしての新基板（新たな本体基板１０ｎ及びリモコン基板２０ｎ）は、データ転送を１度も行っていない場合は、「データ無」の状態である。また、当然に、新たな本体基板１０ｎは本体基板１０と同じ構成であり、新たなリモコン基板２０ｎはリモコン基板２０と同じ構成である。したがって、以下では新たな基板であっても符号１０や２０を用いることもある。
【００４３】
続いて、基板（新たな本体基板１０又はリモコン基板２０）の交換に応じて実行されるデータ取込処理について説明する。
【００４４】
［本体１００側のデータ取込処理］
まず、本体基板１０の交換に応じて実行されるデータ取込処理について図５を参照して説明する。本体基板１０が交換され、電源が投入されると、本体基板１０の制御部１１（ＣＰＵ）は、通信部１３及びケーブルＣを介して、リモコン基板２０の制御部２１にデータ取得要求を送信すると、データ取込処理を開始する。なお、データ取得要求に応じた制御部２１は、不揮発性メモリ２２に記憶されたリモコンデータＤ２がある場合は、通信部２３及びケーブルＣを介して、リモコンデータＤ２を制御部１１に送信する。
【００４５】
データ取込処理を開始すると、制御部１１は、本体データＤ１が確定状態であるか否かを判別する（ステップＳ１０１）。
【００４６】
（本体データＤ１が確定状態の場合）
本体データＤ１が確定状態である場合（ステップＳ１０１；Ｙｅｓ）、制御部１１は、リモコン基板２０から受信したリモコンデータＤ２が確定状態であるか否かを判別する（ステップＳ１０２）。リモコンデータＤ２が確定状態でない場合（ステップＳ１０２；Ｎｏ）、制御部１１は、リモコン基板２０からのリモコンデータＤ２を取り込んで記憶することなく、処理を終了する。
一方、リモコンデータＤ２が確定状態である場合（ステップＳ１０２；Ｙｅｓ）、制御部１１は、リモコンデータＤ２のＴＳ通電積算時間が本体データＤ１のＴＳ通電積算時間よりも長いか否かを判別する（ステップＳ１０３）。
【００４７】
リモコンデータＤ２のＴＳ通電積算時間が本体データＤ１のＴＳ通電積算時間以下の場合（ステップＳ１０３；Ｎｏ）、制御部１１は、リモコン基板２０からのリモコンデータＤ２を取り込んで記憶することなく、処理を終了する。
一方、リモコンデータＤ２のＴＳ通電積算時間が本体データＤ１のＴＳ通電積算時間よりも長い場合（ステップＳ１０３；Ｙｅｓ）、制御部１１は、リモコン基板２０からリモコンデータＤ２の主データを取り込んで、不揮発性メモリ１２に記憶させる（ステップＳ１０４）。ここで取り込んだリモコンデータＤ２の主データは、本体データＤ１の主データとして不揮発性メモリ１２に記憶されるが、このように、本体データＤ１が確定状態であった場合（ステップＳ１０１でＹｅｓ）、本体データＤ１の状態判別用データが示すデータ状態は、確定状態のまま維持される。
【００４８】
（本体データＤ１が未確定状態の場合）
本体データＤ１が確定状態でない場合（ステップＳ１０１；Ｎｏ）、制御部１１は、本体データＤ１が未確定状態であるか否かを判別し（ステップＳ１０５）、未確定状態である場合（ステップＳ１０５；Ｙｅｓ）、ステップＳ１０６の判別処理を実行する。
【００４９】
ステップＳ１０６の判別処理では、制御部１１は、リモコン基板２０から受信したリモコンデータＤ２が確定状態である場合（ステップＳ１０６；Ｙｅｓ）、又は、リモコンデータＤ２が未確定状態であって、リモコンデータＤ２の通電積算時間が本体データＤ１の通電積算時間よりも長い場合（ステップＳ１０６；Ｙｅｓ）に、制御部１１は、リモコン基板２０からリモコンデータＤ２の主データを取り込んで、不揮発性メモリ１２に記憶させる（ステップＳ１０４）。ここで取り込んだリモコンデータＤ２の主データは、本体データＤ１の主データとして不揮発性メモリ１２に記憶されるが、このように、本体データＤ１が未確定状態であった場合（ステップＳ１０５；Ｙｅｓ）、本体データＤ１の状態判別用データが示すデータ状態は、未確定状態のまま維持される。
一方、リモコンデータＤ２が未確定状態であって、リモコンデータＤ２の通電積算時間が本体データＤ１の通電積算時間以下の場合（ステップＳ１０６；Ｎｏ）、制御部１１は、リモコン基板２０からのリモコンデータＤ２を取り込んで記憶することなく、処理を終了する。
【００５０】
（本体データＤ１が無い場合）
本体データＤ１が確定状態でなく（ステップＳ１０１；Ｎｏ）、未確定状態でもない場合（ステップＳ１０５；Ｎｏ）、つまり、本体データＤ１が無い場合、制御部１１は、ステップＳ１０７の判別処理を実行する。
【００５１】
ステップＳ１０７で制御部１１は、リモコン基板２０の不揮発性メモリ２２内にリモコンデータＤ２があるか否かを判別し、リモコンデータＤ２が無い場合（ステップＳ１０７；Ｎｏ）、制御部１１は、取り込む対象が無いので、処理を終了する。
一方、リモコンデータＤ２がある場合（ステップＳ１０７；Ｙｅｓ）、制御部１１は、リモコン基板２０からリモコンデータＤ２の主データを取り込んで、不揮発性メモリ１２に記憶させる（ステップＳ１０８）、ここで取り込んだリモコンデータＤ２の主データは、本体データＤ１の主データとして不揮発性メモリ１２に記憶される。続いて、制御部１１は、本体データＤ１の状態判別用データが示すデータ状態を、未確定状態とし（ステップＳ１０９）、処理を終了する。本体１００側のデータ取込処理は以上である。
【００５２】
［リモコン２００側のデータ取込処理］
次に、リモコン基板２０の交換に応じて実行されるデータ取込処理について図６を参照して説明する。リモコン基板２０が交換され、電源が投入されると、リモコン基板２０の制御部２１（ＣＰＵ）は、通信部２３及びケーブルＣを介して、本体基板１０の制御部１１にデータ取得要求を送信すると、データ取込処理を開始する。なお、データ取得要求に応じた制御部１１は、不揮発性メモリ１２に記憶された本体データＤ１がある場合は、通信部１３及びケーブルＣを介して、本体データＤ１を制御部２１に送信する。
【００５３】
データ取込処理を開始すると、制御部２１は、リモコンデータＤ２が確定状態であるか否かを判別する（ステップＳ２０１）。
【００５４】
（リモコンデータＤ２が確定状態の場合）
リモコンデータＤ２が確定状態である場合（ステップＳ２０１；Ｙｅｓ）、制御部２１は、本体基板１０から受信した本体データＤ１が確定状態であるか否かを判別する（ステップＳ２０２）。本体データＤ１が確定状態でない場合（ステップＳ２０２；Ｎｏ）、制御部２１は、本体基板１０からの本体データＤ１を取り込んで記憶することなく、処理を終了する。
一方、本体データＤ１が確定状態である場合（ステップＳ２０２；Ｙｅｓ）、制御部２１は、本体データＤ１のＴＳ通電積算時間がリモコンデータＤ２のＴＳ通電積算時間よりも長いか否かを判別する（ステップＳ２０３）。
【００５５】
本体データＤ１のＴＳ通電積算時間がリモコンデータＤ２のＴＳ通電積算時間以下の場合（ステップＳ２０３；Ｎｏ）、制御部２１は、本体基板１０からの本体データＤ１を取り込んで記憶することなく、処理を終了する。
一方、本体データＤ１のＴＳ通電積算時間がリモコンデータＤ２のＴＳ通電積算時間よりも長い場合（ステップＳ２０３；Ｙｅｓ）、制御部２１は、本体基板１０から本体データＤ１の主データを取り込んで、不揮発性メモリ２２に記憶させる（ステップＳ２０４）。ここで取り込んだ本体データＤ１の主データは、リモコンデータＤ２の主データとして不揮発性メモリ２２に記憶されるが、このように、リモコンデータＤ２が確定状態であった場合（ステップＳ２０１でＹｅｓ）、リモコンデータＤ２の状態判別用データが示すデータ状態は、確定状態のまま維持される。
【００５６】
（リモコンデータＤ２が未確定状態の場合）
リモコンデータＤ２が確定状態でない場合（ステップＳ２０１；Ｎｏ）、制御部２１は、リモコンデータＤ２が未確定状態であるか否かを判別し（ステップＳ２０５）、未確定状態である場合（ステップＳ２０５；Ｙｅｓ）、ステップＳ２０６の判別処理を実行する。
【００５７】
ステップＳ２０６の判別処理では、制御部２１は、本体基板１０から受信した本体データＤ１が確定状態である場合（ステップＳ２０６；Ｙｅｓ）、又は、本体データＤ１が未確定状態であって、本体データＤ１の通電積算時間がリモコンデータＤ２の通電積算時間よりも長い場合（ステップＳ２０６；Ｙｅｓ）に、制御部２１は、本体基板１０から本体データＤ１の主データを取り込んで、不揮発性メモリ２２に記憶させる（ステップＳ２０４）。ここで取り込んだ本体データＤ１の主データは、リモコンデータＤ２の主データとして不揮発性メモリ２２に記憶されるが、このように、リモコンデータＤ２が未確定状態であった場合（ステップＳ２０５；Ｙｅｓ）、リモコンデータＤ２の状態判別用データが示すデータ状態は、未確定状態のまま維持される。
一方、本体データＤ１が未確定状態であって、本体データＤ１の通電積算時間がリモコンデータＤ２の通電積算時間以下の場合（ステップＳ２０６；Ｎｏ）、制御部２１は、本体基板１０からの本体データＤ１を取り込んで記憶することなく、処理を終了する。
【００５８】
（リモコンデータＤ２が無い場合）
リモコンデータＤ２が確定状態でなく（ステップＳ２０１；Ｎｏ）、未確定状態でもない場合（ステップＳ２０５；Ｎｏ）、つまり、リモコンデータＤ２が無い場合、制御部２１は、ステップＳ２０７の判別処理を実行する。
【００５９】
ステップＳ２０７で制御部２１は、本体基板１０の不揮発性メモリ１２内に本体データＤ１があるか否かを判別し、本体データＤ１が無い場合（ステップＳ２０７；Ｎｏ）、制御部２１は、取り込む対象が無いので、処理を終了する。
一方、本体データＤ１がある場合（ステップＳ２０７；Ｙｅｓ）、制御部２１は、本体基板１０から本体データＤ１の主データを取り込んで、不揮発性メモリ２２に記憶させる（ステップＳ２０８）、ここで取り込んだ本体データＤ１の主データは、リモコンデータＤ２の主データとして不揮発性メモリ２２に記憶される。続いて、制御部２１は、リモコンデータＤ２の状態判別用データが示すデータ状態を、未確定状態とし（ステップＳ２０９）、処理を終了する。リモコン２００側のデータ取込処理は以上である。
【００６０】
［データ確定処理］
続いて、本体１００の制御部１１（ＣＰＵ）によって実行され、所定条件の下で本体データＤ１を確定状態とするデータ確定処理と、リモコン２００の制御部２１（ＣＰＵ）によって実行され、所定条件の下でリモコンデータＤ２を確定状態とするデータ確定処理とを説明する。双方のデータ確定処理は同様であるため、図７を参照してまとめて説明する。
【００６１】
例えば、制御部１１によるデータ確定処理は、本体１００が起動している際に所定の周期毎に実行される。また、制御部２１によるデータ確定処理も、リモコン２００が起動している際に所定の周期毎に実行される。なお、双方のデータ確定処理は、前述のデータ取込処理の実行前に実行されてもよい。
【００６２】
データ確定処理を開始すると、データが未確定か否かを判別する（ステップＳ３０１）。具体的に、制御部１１は、本体データＤ１が未確定状態でない場合（ステップＳ３０１；Ｎｏ）、処理を終了する。同様に、制御部２１は、リモコンデータＤ２が未確定状態でない場合（ステップＳ３０１；Ｎｏ）、処理を終了する。
【００６３】
制御部１１は、本体データＤ１が未確定状態である場合（ステップＳ３０１；Ｙｅｓ）、本体データＤ１の通算積算時間をカウントする（ステップＳ３０２）。同様に、制御部２１は、リモコンデータＤ２が未確定状態である場合（ステップＳ３０１；Ｙｅｓ）、リモコンデータＤ２の通算積算時間をカウントする（ステップＳ３０２）。
【００６４】
続いて、ステップＳ３０２でカウントした通算積算時間が１年経過したか否か判別する（ステップＳ３０３）。通算積算時間が１年未満である場合（ステップＳ３０３；Ｎｏ）、処理を終了する。これは、制御部１１と制御部２１とで同様である。
【００６５】
一方、通算積算時間が１年経過している場合（ステップＳ３０３；Ｙｅｓ）、制御部１１は、本体データＤ１の状態判別用データが示すデータ状態を、未確定状態から確定状態に更新し（ステップＳ３０４）、処理を終了する。同様に、通算積算時間が１年経過している場合（ステップＳ３０３；Ｙｅｓ）、制御部２１は、リモコンデータＤ２の状態判別用データが示すデータ状態を、未確定状態から確定状態に更新し（ステップＳ３０４）、処理を終了する。データ確定処理は以上である。
【００６６】
続いて、データ遷移の一例を以上に説明した処理と対応させて説明する。
【００６７】
図４（ａ）に示す状態において、本体基板１０が新たな本体基板１０ｎに交換されると、データ状態の優先度は、（本体データＤ１：データ無）＝（リモコンデータＤ２：データ無）となるため、データの取り込みは行われない（ステップＳ１０７；Ｎｏに相当）。
一方、図４（ｂ）、（ｃ）に示す状態において、本体基板１０が新たな本体基板１０ｎに交換されると、データ状態の優先度は、（本体データＤ１：データ無）＜（リモコンデータＤ２：未確定状態又は確定状態）となるため、データ転送の関係は「リモコン基板２０（転送元）→本体基板１０（転送先）」となる。つまり、リモコンデータＤ２の主データが本体基板１０に取り込まれ、本体データＤ１の主データとして記憶され（ステップＳ１０８に相当）、本体データＤ１のデータ状態は、未確定状態となる（ステップＳ１０９に相当）。
【００６８】
図４（ａ）〜（ｃ）に示す状態において、リモコン基板２０が新たなリモコン基板２０ｎに交換されると、データ状態の優先度は、（本体データＤ１：確定状態）＞（リモコンデータＤ２：データ無）となるため、データ転送の関係は「本体基板１０（転送元）→リモコン基板２０（転送先）」となる。つまり、本体データＤ１の主データがリモコン基板２０に取り込まれ、リモコンデータＤ２の主データとして記憶され（ステップＳ２０８に相当）、リモコンデータＤ２のデータ状態は、未確定状態となる（ステップＳ２０９に相当）。
【００６９】
また、リモコンデータＤ２が確定状態であった際に、本体基板１０を新たな本体基板１０ｎに交換した場合のデータ遷移例を図８（ａ）〜（ｃ）を参照して説明する。
【００７０】
図８（ａ）に示すように、本体基板１０が新たな本体基板１０ｎに交換されると、データ状態の優先度は、（本体データＤ１：データ無）＜（リモコンデータＤ２：確定状態）となるため、データ転送の関係は「リモコン基板２０（転送元）→本体基板１０（転送先）」となる。つまり、リモコンデータＤ２の主データが本体基板１０に取り込まれ、本体データＤ１の主データとして記憶され（ステップＳ１０８に相当）、本体データＤ１のデータ状態は、図８（ｂ）に示すように、未確定状態となる（ステップＳ１０９に相当）。
図８（ｂ）のように、本体データＤ１が未確定状態となってから１年経過すると（ステップＳ３０３；Ｙｅｓに相当）、図８（ｃ）に示すように、本体データＤ１のデータ状態は確定状態となる（ステップＳ３０４に相当）。
【００７１】
続いて、課題で触れたのと同様の事態が生じた場合のデータ遷移について、図９（ａ）、（ｂ）を参照して説明する。
図９（ａ）に示すように、家庭Ａにてサービスパーツとしての新たな本体基板１０ｎに交換されると、データ状態の優先度は、（本体データＤ１：データ無）＜（リモコンデータＤ２：未確定状態又は確定状態）となるため、データ転送の関係は「リモコン基板２０（転送元）→本体基板１０（転送先）」となる。つまり、家庭Ａの使用状況に係るリモコンデータＤ２の主データが本体基板１０に取り込まれ、本体データＤ１の主データとして記憶され（ステップＳ１０８に相当）、本体データＤ１のデータ状態は、未確定状態となる（ステップＳ１０９に相当）。この際、実は本体基板が故障しておらず、本体基板の交換が不要となった場合、サービスパーツとしての新たな本体基板１０ｎはサービスマンに回収される。
【００７２】
続いて、図９（ｂ）に示すように、家庭Ａから回収された新たな本体基板１０ｎを誤って家庭Ｂの給湯機１００に接続した場合を考える。この場合、データ状態の優先度は、（本体データＤ１：未確定状態）＜（リモコンデータＤ２：未確定状態又は確定状態）となる。リモコンデータＤ２が確定状態であった場合（ステップＳ１０６；Ｙｅｓに相当）、家庭Ｂの使用状況に係るリモコンデータＤ２の主データが本体基板１０に取り込まれ、本体データＤ１の主データとして記憶される（ステップＳ１０４に相当）。
リモコンデータＤ２が未確定状態であった場合も、家庭Ａでのサービスマンによる基板交換前から家庭Ｂの給湯機１００やリモコン２００は動作しているため、家庭Ａにおいて未確定状態となってからの本体データＤ１の通算積算時間よりも、家庭ＢのリモコンデータＤ２の通電積算時間は長くなるはずである（ステップＳ１０６；Ｙｅｓ）。したがって、この場合も、家庭Ｂの使用状況に係るリモコンデータＤ２の主データが本体基板１０に取り込まれ、本体データＤ１の主データとして記憶される（ステップＳ１０４に相当）。
このように、本実施形態に係るデータ転送システムＳによれば、家庭Ｂの使用状況に係る主データが、誤って家庭Ａの使用状況に係る主データで上書きされてしまうことを防止することができる。したがって、基板を何らかの原因で再利用しても、必要なデータを確保することができる。なお、図５と図６のフローチャートが同様に構成されていることから分かるように、リモコン基板２０を交換した際も同様に、必要なデータを確保することができる。
【００７３】
なお、本発明は以上の実施形態及び図面によって限定されるものではない。本発明の要旨を変更しない範囲で、適宜、変更（構成要素の削除も含む）を加えることが可能である。
【００７４】
以上の説明では、給湯機１００とリモコン２００間のデータ転送をケーブルＣを介して有線で行う例を示したが、無線通信を利用してもよい。
【００７５】
また、データ転送システムＳを構成する家電機器は、石油給湯機に限られず、大気熱を利用したヒートポンプ式の給湯機であってもよい。ヒートポンプ式の給湯機の場合、本体データＤ１及びリモコンデータＤ２の主データは、例えば、機器毎に設定される湯量を調整するためのデータ等であればよい。また、当該家電機器は、給湯機に限られず、温水ボイラー（温水暖房のための熱源機）や、石油バーナーなどであってもよい。これらの場合であっても、本体データＤ１及びリモコンデータＤ２の主データは、機器毎に設定される調整データ等であればよい。
【００７６】
以上に説明したデータ転送システムＳは、互いに通信が可能な第１基板及び第２基板を備え、第１基板と第２基板との間でデータ転送を行う。第１基板と第２基板の一方は家電機器（給湯機１００）に設けられ、他方は家電機器の遠隔操作を可能とするリモートコントローラ（リモコン２００）に設けられている。
なお、第１基板を本体基板１０とした場合、下記の第１制御部は制御部１１のＣＰＵに、第１不揮発性メモリは不揮発性メモリ１２に、第２基板はリモコン基板２０に、第２制御部は制御部２１のＣＰＵに、第２不揮発性メモリは不揮発性メモリ２２に相当する。一方、第１基板をリモコン基板２０とした場合、下記の第１制御部は制御部２１のＣＰＵに、第１不揮発性メモリは不揮発性メモリ２２に、第２基板は本体基板１０に、第２制御部は制御部１１のＣＰＵに、第２不揮発性メモリは不揮発性メモリ１２に相当する。
【００７７】
データ転送システムＳにおいて、第１基板は、第１制御部と、第１制御部の制御によりデータを記憶する第１不揮発性メモリとを有し、第２基板は、第２制御部と、第２制御部の制御によりデータを記憶する第２不揮発性メモリとを有する。また、第１制御部は、第１不揮発性メモリ及び第２不揮発性メモリの各々のデータ状態を特定可能であり、データ状態は、互いに異なる優先度の複数の状態を有し、複数の状態は、記憶されているデータがある未確定状態と、記憶されているデータがあるとともに未確定状態よりも優先度が高い確定状態とを含む。
第１基板が交換されたことに応じて、当該交換後の第１基板の第１制御部は、第１不揮発性メモリと第２不揮発性メモリとのデータ状態の優先度を比較し、第２不揮発性メモリのデータ状態が第１不揮発性メモリのデータ状態よりも優先度が高い場合には、第２不揮発性メモリに記憶されているデータを取り込んで第１不揮発性メモリに記憶させる取込処理を行う一方で、第１不揮発性メモリのデータ状態が第２不揮発性メモリのデータ状態よりも優先度が高い場合には、取込処理を行わない。
【００７８】
また、以上に説明したデータ転送システムＳを利用したデータ転送方法は、互いに通信が可能であるとともに記憶領域を有する第１基板と第２基板との間でデータ転送を行う。第１基板と第２基板の一方は家電機器（給湯機１００）に設けられ、他方は家電機器の遠隔操作を可能とするリモートコントローラ（リモコン２００）に設けられている。
なお、第１基板を本体基板１０とした場合、第１基板の記憶領域は不揮発性メモリ１２に、第２基板はリモコン基板２０に、第２基板の記憶領域は不揮発性メモリ２２に相当する。一方、第１基板をリモコン基板２０とした場合、第１基板の記憶領域は不揮発性メモリ２２に、第２基板は本体基板１０に、第２基板の記憶領域は不揮発性メモリ１２に相当する。
【００７９】
当該データ転送方法では、第１基板及び第２基板の各々の記憶領域のデータ状態として、互いに異なる優先度の複数の状態を用意し、複数の状態は、記憶されているデータがある未確定状態と、記憶されているデータがあるとともに未確定状態よりも優先度が高い確定状態とを含む。
そして、第１基板が交換されたことに応じて、当該交換後の第１基板と、第２基板とのデータ状態の優先度を比較し、第２基板のデータ状態が第１基板のデータ状態よりも優先度が高い場合には、第２基板に記憶されているデータを第１基板に取り込んで記憶させる一方で、第１基板のデータ状態が第２基板のデータ状態よりも優先度が高い場合には、第２基板に記憶されているデータを第１基板に取り込まない。
【００８０】
以上のデータ転送システムＳ及びデータ転送方法によれば、前述の通り、第１基板（本体基板１０又はリモコン基板２０）を何らかの原因で再利用しても、必要なデータを確保することができる。
【００８１】
以上の説明では、本発明の理解を容易にするために、公知の技術的事項の説明を適宜省略した。
【符号の説明】
【００８２】
Ｓ…データ転送システム
１００…給湯機（本体）
１０…本体基板
１１…制御部
１２…不揮発性メモリ、Ｄ１…本体データ
１３…通信部
１４…電源基板
２００…リモートコントローラ（リモコン）
２０…リモコン基板
２１…制御部
２２…不揮発性メモリ、Ｄ２…リモコンデータ
２３…通信部
Ｃ…ケーブル
【図１】
2019216334.tif 000003
【図２】
2019216334.tif 000004
【図３】
2019216334.tif 000005
【図４】
2019216334.tif 000006
【図５】
2019216334.tif 000007
【図６】
2019216334.tif 000008
【図７】
2019216334.tif 000009
【図８】
2019216334.tif 000010
【図９】
2019216334.tif 000011
【図１０】
2019216334.tif 000012